(57)【要約】【課題】各端子装着室に対する誤挿入をより確実に防止する端子挿入ガイド治具を提供する。【解決手段】コネクタハウジング４が収容されて保持されるコネクタ保持用凹部５を備え、コネクタ保持用凹部５に収容されたコネクタハウジング４に並列状に備えられた各端子装着室９に対して、それぞれ挿入される端子が接続された各電線を識別するための識別マーク２０ｂがそれぞれ備えられる。各端子装着室９の配置位置に対応して識別マーク２０ｂがそれぞれ並列状に備えられた識別マーク表示具１８が、各端子装着室９に近接配置された端子挿入ガイド姿勢と、コネクタ保持用凹部５に対するコネクタハウジング４の挿脱軌跡から退避する退避姿勢とに姿勢変更操作自在に、端子挿入ガイド治具２に備えられている。【選択図】図２
2009176561.tif 000002
【特許請求の範囲】
【請求項１】
コネクタハウジングが挿脱自在に収容されて保持されるコネクタ保持用凹部を備え、該コネクタ保持用凹部に収容されたコネクタハウジングに並列状に備えられた複数の端子装着室に対して、それぞれ挿入される端子が接続された各電線を識別するための識別マークが、各端子装着室に対応してそれぞれ備えられてなる端子挿入ガイド治具において、
前記各端子装着室の配置位置に対応して前記識別マークがそれぞれ並列状に備えられた識別マーク表示具が、各端子装着室に近接配置された端子挿入ガイド姿勢と、前記コネクタ保持用凹部に対する前記コネクタハウジングの挿脱軌跡から退避する退避姿勢とに姿勢変更操作自在に、端子挿入ガイド治具に備えられていることを特徴とする端子挿入ガイド治具。
【請求項２】
請求項１に記載の端子挿入ガイド治具において、
前記識別マーク表示具が端子挿入ガイド治具に回動操作自在に備えられ、該回動操作により前記姿勢変更操作自在とされていることを特徴とする端子挿入ガイド治具。
【請求項３】
請求項２に記載の端子挿入ガイド治具において、
前記識別マーク表示具が、前記回動操作自在な識別マーク保持具と、前記識別マークがそれぞれ前記並列状に表示されると共に前記識別マーク保持具に着脱交換自在な識別マーク表示シートとからなることを特徴とする端子挿入ガイド治具。
【請求項４】
請求項２または請求項３に記載の端子挿入ガイド治具において、
前記識別マーク表示具が、前記端子挿入ガイド治具に着脱交換自在に備えられていることを特徴とする端子挿入ガイド治具。
【発明の詳細な説明】
【技術分野】
【０００１】
本発明は、コネクタハウジングの各端子装着室に対しての端子の挿入時における誤挿入防止に適する端子挿入ガイド治具に関するものである。
【背景技術】
【０００２】
自動車等に搭載される各種電装品の接続に用いられるワイヤーハーネスは、多数の電線を束ねて構成され、端末には接続用のコネクタが取り付けられている。
【０００３】
ワイヤーハーネスを構成するこれらの各電線は、それぞれ接続先が規定されているため、各電線の端末に備えられた端子をコネクタの各端子装着室に対して間違えずに挿入して装着する必要がある。
【０００４】
一方、近年の自動車等の高性能化、多機能化に伴ってワイヤーハーネスの電線の本数が増加し、ワイヤーハーネスの各電線を接続するコネクタの一つ当たりの端子装着室の数も増加している。
【０００５】
そのため、コネクタの各端子装着室に対して、各電線の端末に備えられた端子を間違えずに挿入するための対策が種々提案されている。
【０００６】
即ち、コネクタのコネクタハウジングに電線識別表示具が着脱自在に備えられ、この電線識別表示具には、コネクタの各端子装着室に対応して、それぞれ挿入される端子を備えた各電線の色、即ち識別色に応じた色別の識別札が配置されている。そして、作業者は、電線の端末に備えられた端子を対応する端子装着室に挿入するに際して、電線の色に対応する色の識別札が配置された位置の端子装着室を選択し、挿入することにより誤挿入を防止する構造のものがあった。（例えば、特許文献１参照）。
【０００７】
また、コネクタ用枠治具のホルダに、コネクタのコネクタハウジングが収容されるコネクタ保持用凹部を備え、該コネクタ保持用凹部に収容されたコネクタの各端子装着室に対応して、ホルダの周囲縁部に、それぞれ挿入される端子を備えた各電線の種類に応じたサンプル電線が取り付けられた構造とされたものがある。そして、作業者は、電線の端末に備えられた端子を対応する端子装着室に挿入するに際して、電線の種類に対応する種類のサンプル電線が取り付けられた位置の端子装着室を選択し、挿入することにより誤挿入を防止する構造のものがあった。（例えば、特許文献２参照）。
【０００８】
【特許文献１】実開平５−９２９７６号公報
【特許文献２】特開２００２−５６７３０号公報
【発明の開示】
【発明が解決しようとする課題】
【０００９】
しかしながら、コネクタの周囲にはコネクタ同士を互いに着脱自在に連結するための連結構造等が適宜、備えられているため、特許文献１に開示の識別札の配置位置と対応するコネクタの端子装着室との相互間や、特許文献２に開示のサンプル電線の取り付け位置と対応するコネクタの端子装着室との相互間には、若干の距離があった。
【００１０】
そのため、コンパクト化されたコネクタに、多数の端子装着室が列設配置されたコネクタハウジングにおいては、隣接配置された端子装着室に誤挿入するおそれがあった。特に、挿入作業を急いだり、作業者が疲労した場合において、目的とする端子装着室と異なる端子装着室に誤挿入するおそれが大であった。
【００１１】
そこで、本発明はこのような問題点に鑑み、各端子装着室に対する誤挿入をより確実に防止する端子挿入ガイド治具を提供することを目的とする。
【課題を解決するための手段】
【００１２】
上記課題を解決するための技術的手段は、コネクタハウジングが挿脱自在に収容されて保持されるコネクタ保持用凹部を備え、該コネクタ保持用凹部に収容されたコネクタハウジングに並列状に備えられた複数の端子装着室に対して、それぞれ挿入される端子が接続された各電線を識別するための識別マークが、各端子装着室に対応してそれぞれ備えられてなる端子挿入ガイド治具において、前記各端子装着室の配置位置に対応して前記識別マークがそれぞれ並列状に備えられた識別マーク表示具が、各端子装着室に近接配置された端子挿入ガイド姿勢と、前記コネクタ保持用凹部に対する前記コネクタハウジングの挿脱軌跡から退避する退避姿勢とに姿勢変更操作自在に、端子挿入ガイド治具に備えられている点にある。
【００１３】
また、前記識別マーク表示具が端子挿入ガイド治具に回動操作自在に備えられ、該回動操作により前記姿勢変更操作自在とされている構造としてもよい。
【００１４】
さらに、前記識別マーク表示具が、前記回動操作自在な識別マーク保持具と、前記識別マークがそれぞれ前記並列状に表示されると共に前記識別マーク保持具に着脱交換自在な識別マーク表示シートとからなる構造としてもよい。
【００１５】
また、前記識別マーク表示具が、前記端子挿入ガイド治具に着脱交換自在に備えられている構造としてもよい。
【発明の効果】
【００１６】
本発明の端子挿入ガイド治具によれば、各端子装着室の配置位置に対応して識別マークがそれぞれ並列状に備えられた識別マーク表示具が、各端子装着室に近接配置された端子挿入ガイド姿勢と、コネクタ保持用凹部に対するコネクタハウジングの挿脱軌跡から退避する退避姿勢とに姿勢変更操作自在に、端子挿入ガイド治具に備えられている構造とされているため、各端子装着室に対して対応する電線の端末に備えられた端子をそれぞれ挿入するに際して、識別マーク表示具を端子挿入ガイド姿勢とした状態で挿入すれば、識別マーク表示具における各識別マークが対応する各端子装着室に近接配置された状態となっており、識別マークに対応する端子装着室が容易に確認でき、各端子装着室に対する誤挿入をより確実に防止することができる。そして、各端子装着室に対する各電線の端子の挿入作業時には、各端子装着室に近接配置された状態となっているにもかかわらず、コネクタ保持用凹部に対するコネクタハウジングの挿脱時には、識別マーク表示具を退避姿勢としておけば、コネクタハウジングの挿脱作業に何ら支障を生じず、使い勝手に優れるという利点もある。
【００１７】
また、識別マーク表示具が端子挿入ガイド治具に回動操作自在に備えられ、該回動操作により姿勢変更操作自在とされている構造とすれば、端子挿入ガイド姿勢と退避姿勢との姿勢変更を簡単な構造で容易に提供することができる。
【００１８】
さらに、識別マーク表示具が、回動操作自在な識別マーク保持具と、識別マークがそれぞれ並列状に表示されると共に識別マーク保持具に着脱交換自在な識別マーク表示シートとからなる構造とすれば、識別マーク保持具に対する識別マーク表示シートの交換により、異なる配線構造のコネクタハウジングに容易に対応できる利点がある。
【００１９】
また、識別マーク表示具が、端子挿入ガイド治具に着脱交換自在に備えられている構造とすれば、識別マーク表示具の交換により、異なる配線構造のコネクタハウジングに容易に対応できると共に、コネクタハウジングに備えられた各端子装着室の配置に応じて、各端子装着室に近接配置された所望の端子挿入ガイド姿勢が得られる利点がある。
【発明を実施するための最良の形態】
【００２０】
以下、本発明の第１の実施形態を図面に基づいて説明すると、図１ないし図３は端子挿入ガイド治具１を示しており、端子挿入ガイド治具１はブロック状の治具本体２を備え、該治具本体２の前面には、コネクタ３のコネクタハウジング４が挿脱自在に収容されて保持されるコネクタ保持用凹部５が備えられている。
【００２１】
このコネクタ保持用凹部５は、収容されるコネクタハウジング４の形状に対応した凹形状に形成されており、コネクタハウジング４の収容状態で、コネクタハウジング４の外部側端面が、治具本体２の前面と並んだ略同一面状態に配置されるように構成されている。
【００２２】
そして、この収容状態とされたコネクタハウジング４には、電線７の端末に接続された端子８が挿入されて抜止状に装着される端子装着室９が、左右方向に密接して多数、並列状に備えられた構造とされている。
【００２３】
また、治具本体２の一側面には、コネクタ保持用凹部５に収容されたコネクタハウジング４を抜止め保持すべく、コネクタハウジング４の周縁部に係脱自在に係止する抜止め係止具１１が備えられている。
【００２４】
抜止め係止具１１は、その一端部の基部１１ａが一対の支持ネジ１２を介して治具本体２の一側面に取り付け支持されている。即ち、各支持ネジ１２は、コイルバネからなる圧縮バネ１３およびバネ受け座金１４および抜止め係止具１１の基部１１ａを挿通して治具本体２に進退自在に螺合されており、圧縮バネ１３の付勢力により、バネ受け座金１４を介して基部１１ａが治具本体２の側面に弾発付勢された状態で支持されている。なお、圧縮バネ１３の付勢力は、治具本体２に対する支持ネジ１２の螺合量の調整により調整可能とされている。
【００２５】
そして、コネクタ保持用凹部５に対するコネクタハウジング４の挿入時に、抜止め係止具１１の他端部の係止部１１ｂ側が、圧縮バネ１３の付勢力に抗して、図２の仮想線で示されるように、揺動可能に構成されている。
【００２６】
また、コネクタ保持用凹部５の上方に位置する治具本体２の前面上端部には、表示具支持用凹部１６が備えられており、該表示具支持用凹部１６における左右両側の側壁面には、支軸部を構成する一例としてのボールプランジャ１７がそれぞれ一部突出状に対向して設けられている。そして、両ボールプランジャ１７を利用して、識別マーク表示具１８が左右方向の軸心回りに回動操作自在に備えられている。
【００２７】
識別マーク表示具１８は、適宜厚みで、所定幅、所定長さを有する矩形状の透明なアクリル板を、２つ折りにして重合状とし、さらに所定位置で略９０度に曲げ加工することにより形成された識別マーク保持具１９を備えており、図４にも示されるように、折り曲げ部分の両側には、ボールプランジャ１７の突出部分が係脱自在に係合される係合凹部１９ａがそれぞれ形成されている。
【００２８】
そして、識別マーク保持具１９の両係合凹部１９ａ内に、図２に示されるように、両ボールプランジャ１７の突出部がそれぞれ嵌入状に係合して、図３に示されるように、識別マーク保持具１９が、治具本体２にボールプランジャ１７の軸心回りに回動操作自在に支持された構造とされている。また、両ボールプランジャ１７の突出部は、スプリングの弾性により出没自在とされており、このボールプランジャ１７の突出部の弾性力に抗した退避動作により、識別マーク保持具１９が治具本体２に対して着脱自在な構造とされている。
【００２９】
また、識別マーク保持具１９における折り曲げ部分と反対側の端部は、互いに重合状態とされた保持部１９ｂを構成しており、この重合状態の保持部１９ｂ間に、識別マーク表示シート２０を挿脱自在に挿入することにより、保持部１９ｂの弾性により識別マーク表示シート２０が挟持状に保持される構造とされている。
【００３０】
識別マーク保持具１９は、図１ないし図３に実線で示されるように、保持部１９ｂを治具本体２の前面側に位置させた状態で、治具本体２のコネクタ保持用凹部５に収容されたコネクタハウジング４の各端子装着室９が配置された左右方向の長さよりも長い左右方向長さを有すると共に、保持部１９ｂの下端縁が、並列状に備えられた各端子装着室９の直上に近接配置される構造とされている。
【００３１】
また、重合状態の保持部１９ｂ間に保持された識別マーク表示シート２０には、各端子装着室９の配置位置に対応して識別マーク部２０ａがそれぞれ並列状に備えられており、各識別マーク部２０ａには、各端子装着室９に対してそれぞれ挿入される端子８が接続された電線７を識別するための識別色に対応した識別色の識別マーク２０ｂがそれぞれ施されている。
【００３２】
なお、識別マーク表示シート２０には、保持部１９ｂより側方に突出する張出部２０ｃが備えられており、該張出部２０ｃを利用して識別マーク２０ｂに対して挿脱操作が容易に行えるように構成されている。また、識別マーク表示シート２０は、組み付けるワイヤーハーネスの品番等に応じて、識別マーク２０ｂの各識別色が各種のパターンで表示されたものが予め準備されており、識別マーク保持具１９の保持部１９ｂに対し、目的とする品番等に応じて、識別マーク表示シート２０が着脱交換自在とされている。
【００３３】
そして、図３の仮想線で示されるように、識別マーク保持具１９を上向きに回動操作した状態では、コネクタ保持用凹部５に対するコネクタハウジング４の挿脱軌跡から上方に退避した構造とされている。
【００３４】
ここに、識別マーク表示具１８は、識別マーク保持具１９と識別マーク表示シート２０とからなり、下向に回動操作された状態の端子挿入ガイド姿勢と、上向きに回動操作された退避姿勢とに姿勢変更操作自在とされている。
【００３５】
また、治具本体２の背面には、取り付けボルト２２が一体に設けられており、この取り付けボルト２２を利用して、組立図板等の取付部に着脱自在に取り付け可能に構成されている。
【００３６】
本実施形態は以上のように構成されており、コネクタハウジング４の各端子装着室９に、各電線７の端末に備えられた端子８をそれぞれ挿入して装着する場合には、識別マーク表示具１８を退避姿勢とした状態で、治具本体２のコネクタ保持用凹部５にコネクタハウジング４を所定の姿勢で挿入すればよい。そして、コネクタハウジング４の挿入が完了すると、抜止め係止具１１の係止部１１ｂが復帰して、コネクタハウジング４の周縁部に抜止め係止された状態となる。
【００３７】
次に、識別マーク表示具１８を端子挿入ガイド姿勢に戻せば、図１ないし図３に示されるように、識別マーク表示具１８における各識別マーク２０ｂが、各端子装着室９に対応して近接配置された状態が得られる。
【００３８】
この状態で、各電線７の識別色と同じ識別色の識別マーク２０ｂが施された位置に対応する端子装着室９に、電線７の端末に接続された端子８をそれぞれ挿入して装着していけばよい。この際、各識別マーク２０ｂが各端子装着室９の直上に近接配置された状態となっているため、識別マーク２０ｂに対応する端子装着室９が容易に確認でき、異なる端子装着室９に対する誤挿入が有効に防止でき、各端子装着室９に対する端子８の誤挿入がより確実に防止することができるという利点がある。
【００３９】
そして、各端子装着室９に対する各端子８の挿入作業が終了すれば、識別マーク表示具１８を退避姿勢とし、抜止め係止具１１の係止部１１ｂを係止解除位置に付勢した状態で、コネクタ保持用凹部５からコネクタハウジング４を取り出せばよい。
【００４０】
従って、各端子装着室９に対する各電線７の端子８の挿入作業時には、識別マーク表示具１８の各識別マーク２０ｂが各端子装着室９に近接配置された状態となっているにもかかわらず、コネクタ保持用凹部５に対するコネクタハウジング４の挿脱時には、識別マーク表示具１８を退避姿勢としておくことによって、コネクタハウジング４の挿脱作業に何ら支障を生じず、使い勝手に優れるという利点がある。
【００４１】
また、識別マーク表示具１８を対のボールプランジャ１７で回動自在に支持することにより、端子挿入ガイド姿勢と退避姿勢とに回動操作によって姿勢変更操作自在な構造とされており、簡単な構造で容易に提供できる利点がある。
【００４２】
さらに、識別マーク表示具１８の識別マーク保持具１９における保持部１９ｂに対して、識別マーク表示シート２０が着脱交換自在に構成されているため、識別マーク保持具１９に対する識別マーク表示シート２０の交換により、異なる配線構造のコネクタハウジング４、例えば、異なる品番等のワイヤーハーネスの組付け作業にも容易迅速に対応できる利点がある。
【００４３】
また、識別マーク保持具１９自体が治具本体２に対して着脱交換自在に備えられているため、異なる識別色の組み合わせの識別マーク２０ｂが組み付けられた識別マーク保持具１９を多種類準備しておけば、治具本体２のボールプランジャ１７に対する識別マーク保持具１９の交換によっても、上記同様、異なる配線構造のコネクタハウジング４に容易迅速に対応できる利点がある。
【００４４】
さらに、対のボールプランジャ１７により識別マーク保持具１９を着脱交換自在な構造とされているため、識別マーク保持具１９の交換に際しては、各ボールプランジャ１７の弾性力に抗して引出し、押し込み操作することにより、識別マーク保持具１９を容易に着脱することができ、交換作業も簡単に行える利点がある。
【００４５】
図５は第２の実施形態を示しており、第１の実施形態と同様構成部分は同一符号を付し、その説明を省略する。
【００４６】
即ち、第１の実施形態においては、コネクタハウジング４における各端子装着室９が横一列に配置された構造とされていたが、本実施形態では、コネクタハウジング４における各端子装着室９が、左右方向に並列状に備えられると共に、上下方向に三列備えられた構造とされている。そして、図例では、中央列の各端子装着室９に対して電線７の端末に接続された端子８を挿入可能な端子挿入ガイド姿勢とされた状態を示している。
【００４７】
このように、識別マーク表示具１８として、下段列用、中央列用、上段列用の３種類を準備しておけば、各識別マーク表示具１８を適宜着脱交換することによって、コネクタハウジング４に備えられた各列の各端子装着室９の配置に応じて、各端子装着室９に近接配置された所望の端子挿入ガイド姿勢が得られ、各列の各端子装着室９に対して第１の実施形態と同様の効果を奏し、各端子装着室９に対する端子８の誤挿入がより確実に防止できる。またこのような複数段の各電線７の各端子８の挿入に際しては、下段側から、例えば、下段列の各端子装着室９、中央列の各端子装着室９、上段列の各端子装着室９の順序で順次行えばよい。
【００４８】
なお、上記各実施形態においては、識別マーク保持具１９の保持部１９ｂに対して、識別マーク表示シート２０を挿脱により着脱交換自在な構造を示しているが、識別マーク保持具１９を磁性を有する金属板等で形成し、シート状の磁石の表面に識別マーク２０ｂを表示した識別マーク表示シート２０を各種形成し、識別マーク保持具１９の表面に着脱自在に磁着させる構造であってもよく、何ら実施形態の構造に限定されない。
【００４９】
また、対のボールプランジャ１７で、識別マーク保持具１９を回動自在に支持する構造を示しているが、ロールピン等で識別マーク保持具１９を回動自在に支持する構造であってもよく、何ら実施形態の構造に限定されない。
【図面の簡単な説明】
【００５０】
【図１】本発明の第１の実施形態に係る端子挿入ガイド治具の斜視図である。
【図２】同正面図である。
【図３】同側面図である。
【図４】識別マーク表示具の分解正面図である。
【図５】第２の実施形態を示す正面図である。
【符号の説明】
【００５１】
１  端子挿入ガイド治具
２  治具本体
３  コネクタ
４  コネクタハウジング
５  コネクタ保持用凹部
７  電線
８  端子
９  端子装着室
１８  識別マーク表示具
１９  識別マーク保持具
２０  識別マーク表示シート
２０ｂ  識別マーク
【図１】
2009176561.tif 000003
【図２】
2009176561.tif 000004
【図３】
2009176561.tif 000005
【図４】
2009176561.tif 000006
【図５】
2009176561.tif 000007